(57)【要約】【課題】カム部材が回動された状態で、前扉が閉じられた場合でも、前扉を良好に閉鎖して施錠する遊技機用施錠装置を提供する。【解決手段】基枠２内には中枠施錠用の爪部材５，６と前扉用爪部材７，８，９を解錠動作させる摺動杆４０が上下摺動可能に配設される。摺動杆４０にはカム部材１２が係合するカム係合部４９が設けられ、摺動杆４０は、上部と下部に２分割されると共に、その連結部を連結ピン５４により揺動可能に連結して形成される。連結部には摺動杆４０を取付板側に戻すための捻りばね１５が装着される。前扉３２の閉鎖時にカム部材１２が基枠の取付板のカム用開口部１９から進入し、基枠２内の摺動杆４０のカム係合部４９に当接したとき、摺動杆４０の連結部が捻りばね１５の付勢力に抗して背面側に移動する。【選択図】図１
2007111268.tif 000002
【特許請求の範囲】
【請求項１】
遊技機の筐体に対し開閉可能に装着された中枠に装置本体が取り付けられ、該中枠の前面に開閉可能に取り付けられた前扉に、錠軸の先端にカム部材を取り付けてなるシリンダ錠が固定され、該中枠を該筐体に対し施錠し、該前扉を該中枠に対し施錠する遊技機用施錠装置において、
該装置本体の基枠に設けた支持板の上部と下部に、中枠施錠用の爪部材が傾動可能に枢支され、該基枠の取付板に形成されたスリット孔から該基枠の前方に、前扉用爪部材が突出して、且つ該基枠内を上下に摺動可能に配設され、該取付板には該シリンダ錠のカム部材を進入させるためのカム用開口部が形成され、該基枠内には該中枠施錠用の爪部材と前扉用爪部材を解錠動作させる摺動杆が上下摺動可能に配設され、該摺動杆には該カム部材が係合するカム係合部が設けられ、該摺動杆は、上部と下部に２分割されると共に、その連結部を連結ピンにより揺動可能に連結して形成され、該連結部には該摺動杆を該取付板側に戻すためのばね部材が装着され、該前扉の閉鎖時に該カム部材が該基枠の取付板のカム用開口部から進入し、該基枠内の該摺動杆の該カム係合部に当接したとき、該摺動杆の該連結部が該ばね部材の付勢力に抗して背面側に移動することを特徴とする遊技機用施錠装置。
【請求項２】
前記摺動杆の連結部の連結ピンは、前記支持板に形成されたＴ形ガイド孔に係合してガイドされることを特徴とする請求項１記載の遊技機用施錠装置。
【請求項３】
前記カム部材は、基板上に第１係合部と第２係合部が空間をあけて突設され、該第１係合部と第２係合部間の一方の側に円弧壁部が該第１係合部と第２係合部間を繋ぐように形成され、該カム部材が係合する前記摺動杆のカム係合部は、該摺動杆の一部を前記取付板と平行に切り起して形成されることを特徴とする請求項１記載の遊技機用施錠装置。
【発明の詳細な説明】
【技術分野】
【０００１】
本発明は、パチンコ機などの遊技機の前扉及び中枠を筐体に対し施錠する施錠装置に関し、特に施錠装置本体を中枠に取り付け、前扉にシリンダ錠を取り付けた構造の遊技機用施錠装置に関する。
【背景技術】
【０００２】
パチンコ機の施錠装置として、従来、下記特許文献１に記載される構造の錠装置が知られている。この錠装置は、前扉及び中枠を筐体に対し施錠する錠装置であり、その基枠は中枠に取り付けられ、取付板と支持板からなる基枠の内側に、第１摺動杆と第２摺動杆が摺動可能に配設され、支持板の上部と下部に鉤部が筐体側に向けて且つ第１摺動杆に連結されて傾動可能に枢支される。さらに、前扉用鉤部が前扉側に向けて基枠の上部と下部に且つ第２摺動杆に連結されて傾動可能に枢支され、基枠の取付板の中間部にシリンダ錠がその錠軸を取付板に設けた孔から内側に差込むように固定され、錠軸の先端に固定されたカム部材が回動方向に応じて第１摺動杆または第２摺動杆に係合可能となるように構成されている。
【特許文献１】特開２００１−３８０２６号公報
【発明の開示】
【発明が解決しようとする課題】
【０００３】
この種の施錠装置は、基枠がパチンコ機の中枠に取り付けられ、必然的にシリンダ錠が中枠の正面側に位置することになるため、中枠の前面全体に前扉が閉じられる構造のパチンコ機の場合、シリンダ錠を前扉の正面側に露出させる必要があった。このため、上記引用文献１のパチンコ機のように、前扉の一部を切欠いた形状とする必要があり、良好な前扉のデザインを悪化させる問題があった。
【０００４】
そこで、錠軸にカム部材を固定したシリンダ錠を、前扉の内側に中枠側を向けて取り付け、中枠に取り付けた施錠装置本体の基枠の取付板に開口部を設け、前扉を閉じたとき、その開口部にカム部材を進入させ、基枠内に摺動可能に配設された摺動杆に係合させるようにした構造の施錠装置が検討された。
【０００５】
しかしながら、このような構造の施錠装置では、シリンダ錠にキーを差し込みキーを回した状態、つまりカム部材を解錠方向に回した状態で、前扉を閉じた場合、既に解錠位置に回動したカム部材が基枠内に進入して、基枠内の摺動杆と衝突し、前扉を良好に閉じることができなくなる不具合が想定されていた。
【０００６】
本発明は、上記の課題を解決するためになされたもので、カム部材が回動された状態で、前扉が閉じられた場合でも、前扉を良好に閉鎖して施錠する遊技機用施錠装置を提供することを目的とする。
【課題を解決するための手段】
【０００７】
上記の目的を達成するために、本発明の請求項１の遊技機用施錠装置は、遊技機の筐体に対し開閉可能に装着された中枠に装置本体が取り付けられ、該中枠の前面に開閉可能に取り付けられた前扉に、錠軸の先端にカム部材を取り付けてなるシリンダ錠が固定され、該中枠を該筐体に対し施錠し、該前扉を該中枠に対し施錠する遊技機用施錠装置において、該装置本体の基枠に設けた支持板の上部と下部に、中枠施錠用の爪部材が傾動可能に枢支され、該基枠の取付板に形成されたスリット孔から該基枠の前方に、前扉用爪部材が突出して、且つ該基枠内を上下に摺動可能に配設され、該取付板には該シリンダ錠のカム部材を進入させるためのカム用開口部が形成され、該基枠内には該中枠施錠用の爪部材と前扉用爪部材を解錠動作させる摺動杆が上下摺動可能に配設され、該摺動杆には該カム部材が係合するカム係合部が設けられ、該摺動杆は、上部と下部に２分割されると共に、その連結部を連結ピンにより揺動可能に連結して形成され、該連結部には該摺動杆を該取付板側に戻すためのばね部材が装着され、該前扉の閉鎖時に該カム部材が該基枠の取付板のカム用開口部から進入し、該基枠内の該摺動杆の該カム係合部に当接したとき、該摺動杆の該連結部が該ばね部材の付勢力に抗して背面側に移動することを特徴とする。
【０００８】
ここで、上記摺動杆の連結部の連結ピンは上記支持板に形成されたＴ形ガイド孔に係合してガイドされる構成とすることができる。また、上記カム部材は、基板上に第１係合部と第２係合部が空間をあけて突設され、第１係合部と第２係合部間の一方の側に円弧壁部が第１係合部と第２係合部間を繋ぐように形成され、カム部材が係合する前記摺動杆のカム係合部は、摺動杆の一部を前記取付板と平行に切り起して構成することができる。
【発明の効果】
【０００９】
上記構成の遊技機用施錠装置は、シリンダ錠を通常の中立位置として前扉を中枠に対し閉じると、前扉側のシリンダ錠のカム部材が、中枠側の装置本体の取付板に設けたカム用開口部から基枠内に進入し、基枠内の摺動杆のカム係合部に係合可能な状態となるが、キーをシリンダ錠に差し込んで回した状態で、前扉を閉じると、カム部材も同方向に回動した状態で、進入するため、カム部材は摺動杆のカム係合部に適正に係合することができない。
【００１０】
しかしながら、摺動杆は上下に２分割され、連結部を連結ピンにより揺動可能に連結されているから、前扉の閉鎖時、カム部材がカム用開口部から進入し、摺動杆のカム係合部に当ったとき、摺動杆は背面側に逃げるように移動するため、前扉は問題なく閉鎖することができる。そして、シリンダ錠に差し込んだキーを元の中立位置（施錠位置）に戻したときには、摺動杆の連結部がばね部材の付勢力により元の位置に戻り、カム部材が摺動杆のカム係合部と適正に係合した状態となる。したがって、その後、シリンダ錠に差し込んだキーを回して解錠操作すれば、摺動杆が摺動し、前扉または中枠を正常に解錠することができる。
【発明を実施するための最良の形態】
【００１１】
以下、本発明の実施例を図面に基づいて説明する。図１は中枠３１に取り付けられる装置本体１の右側面図を示し、図２はその背面図を示し、図３、図４はその分解図を示している。
【００１２】
この施錠装置は、概略的には、筐体３０側の内側に固定された受け部２１，２２に、装置本体１の背面側に突出した爪部材５，６を係止させて前扉３２を中枠３１を筐体３０に対し施錠する。さらに、前扉３２の内側に設けた前扉受け部２３，２４，２５に、装置本体１の正面側に突出した前扉用爪部材７，８，９を係止させて前扉３２を中枠３１に対し施錠するように構成され、解錠する際に使用するシリンダ錠１３とその錠軸１３ａに固定されたカム部材１２は、前扉３２に取り付けられる。
【００１３】
図３、図４に示すように、装置本体１は、縦長の基枠２を有し、基枠２は、取付板３の両側に支持板４と側壁部２ａを直角に曲折して断面コ字状に形成される。図２、図４のように、取付板３における下部より少し上寄りに、カム用開口部１９が形成される。このカム用開口部１９は、前扉３２に取り付けられる後述のシリンダ錠１３のカム部材１２を挿入するための開口部である。さらに、その支持板４の内側の上部と下部に、フック状の爪部材５，６が背面側に突出し、枢軸５ａ，６ａにより、水平状態から下方に傾動可能に枢支されている。爪部材５，６の元部には、係合凸部５ｂ、６ｂが反支持板側に曲げられて設けられ、後述の摺動杆４０の係合凹部４３，５０がその摺動時にこの係合凸部５ｂ、６ｂに係合して、爪部材５，６を傾動させ、解錠動作する。
【００１４】
図４に示すように、基枠２の取付板３の上部、中間部、及び下部には、縦長のスリット孔３ａ，３ｂ，３ｃが形成され、各スリット孔３ａ，３ｂ，３ｃには、基枠２の内側から前扉用爪部材７，８，９がそのフック状の爪を正面側に突き出すように、そして上下に摺動可能に装着される。前扉用爪部材７，８，９は、図３、図４に示すように、板状の摺動板部７ａ，８ａ，９ａから爪を直角に正面側に曲げ、さらに摺動板部７ａ，８ａ，９ａから背面側に板部を直角に立ち上げ、その板部の先端に係合凸部７ｂ、８ｂ、９ｂを突設して形成される。
【００１５】
取付板３上を摺動可能な摺動板部７ａ，８ａ，９ａには各々ガイド孔７ｃ、８ｃ、９ｃが形成され、各ガイド孔７ｃ、８ｃ、９ｃにガイドピン７ｄ、８ｄ、９ｄが挿通されてその先端が取付板３に固定され、各前扉用爪部材７，８，９は所定の範囲で上下摺動可能である。また、これらの前扉用爪部材７，８，９には取付板３などとの間に、コイルばね１６ａ，１６ｂ，１６ｃが掛けられ、前扉用爪部材７，８，９はコイルばね１６ａ，１６ｂ，１６ｃによって施錠方向つまり上方に付勢されている。
【００１６】
基枠２内の支持板４に沿って、爪部材５，６を解錠方向に傾動させ及び前扉用爪部材７，８，９を解錠方向に摺動させるために、摺動杆４０が上下に摺動可能に配設される。摺動杆４０は、上部側の第１摺動杆４１と下部側の第２摺動杆４２とからなり、第１摺動杆４１の下部と第２摺動杆４２の上部が連結ピン５４により連結される。第１摺動杆４１の下部にガイド孔（長孔）４８が幅方向に形成され、そのガイド孔４８に連結ピン５４が移動可能に挿通され、連結ピン５４の端部は第２摺動杆４２に固定され、連結ピン５４の他端部は支持板４の中間部に形成されたT形ガイド孔４ａに挿通される。これにより、上部側の第１摺動杆４１と下部側の第２摺動杆４２を連結する連結部分は、連結ピン５４がＴ形ガイド孔４ａとガイド孔４８を移動する範囲で、幅方向に移動可能である。
【００１７】
第１摺動杆４１の上部には前扉用爪部材７の係合凸部７ｂが係合するための係合部４５が形成される。その係合部４５の下方に爪部材５の係合凸部５ｂが係合するための係合部４３が形成される。また、係合部４３の下方にガイド孔４７が形成され、そのガイド孔４７にガイドピン５３が挿通され、ガイドピン５３の先端は支持板４の膨出部４ｂに固定される。支持板４の内側には、摺動杆４０を支持板４の内側に隙間を空けて配設するために、膨出部４ｂ、４ｃ、４ｂが内側に僅かに膨出して形成されている。第１摺動杆４１の下端部より少し上方に、前扉用爪部材８の係合凸部８ｂが係合するための係合部４６が開口部として設けられる。
【００１８】
第２摺動杆４２の上部には後述のカム部材１２と係合するカム係合部４９が設けられる。カム係合部４９は、上部と下部を凹状に切り欠き、その間の部分を取付板３と平行に切り起こして形成され、このカム係合部４９を間に挟むように、後述のカム部材１２が係合する。そのカム係合部４９の下方に、爪部材６の係合凸部６ｂが係合するための係合部５０が形成される。
【００１９】
さらに、その係合部５０の下方に、前扉用爪部材９の係合凸部９ｂが係合するための係合部５１が形成される。その係合部５１の下側にガイド孔５２が形成され、そのガイド孔５２にガイドピン５５が挿通され、ガイドピン５５の先端は支持板４の下部に設けた膨出部４ｄに固定され、これにより、第２摺動杆４２は支持板４の内側で、膨出部４ｄによって間隙をあけてガイド孔５２の範囲内で摺動可能に支持される。膨出部４ｂ、４ｃ、４ｄによって形成された支持板４の内側の間隙に、爪部材５，６及び前扉用爪部材７，８，９の一部が挿入されて位置する。
【００２０】
図４に示すように、コイルばね１６ａが取付板３と前扉用爪部材７との間にかけられ、前扉用爪部材７を施錠方向に付勢する。同様に、コイルばね１６ｂが取付板３と前扉用爪部材８との間にかけられ、前扉用爪部材８を施錠方向に付勢している。また、コイルばね１６ｃが爪部材６と前扉用爪部材９との間にかけられ、爪部材６を施錠方向に付勢すると共に、前扉用爪部材９を施錠方向に付勢している。また、コイルばね１６ｄが爪部材５と取付板３との間にかけられ、爪部材５を施錠方向に付勢している。
【００２１】
さらに、図９に示すように、連結ピン５４に捻りばね１５が装着され、この捻りばね１５の両端は第１摺動杆４１の下部と第２摺動杆４２の上部に係止され、その連結部を取付板３側に付勢している。この捻りばね１５により、図９のように、カム部材１２がカム用開口部１９から基枠２内に進入し、摺動杆４０を押し上げた際、元に戻す付勢力を生じさせる。
【００２２】
上記構成の施錠装置の装置本体１は、図６に示すように、パチンコ機の中枠３１の自由端に、その前扉用爪部材７，８，９を正面側に向け、爪部材５，６を筐体３０側に向けて縦に取り付けられる。前扉用爪部材７，８，９は正面側に向けて突出し、爪部材５，６は背面側に向けて突出する。パチンコ機の筐体３０の前面にはヒンジを介して中枠３１が開閉可能に取り付けられ、その中枠３１の前面に前扉３２がヒンジを介して開閉可能に装着される。
【００２３】
一方、図５に示すようなシリンダ錠１３が前扉３２に取り付けられる。シリンダ錠１３の錠軸１３ａには、カム部材１２が固定される。カム部材１２は、基板上に第１係合部１２ａと第２係合部１２ｂが空間をあけて突設され、第１係合部１２ａと第２係合部１２ｂ間の一方の側を繋ぐように円弧壁部１２ｃが第１係合部１２ａと第２係合部１２ｂ間に形成される。このカム部材１２の円弧壁部１２ｃと第１、第２係合部１２ａ，１２ｂは、前扉３２の閉鎖時、装置本体１の基枠２のカム用開口部１９内に進入する。シリンダ錠１３には、フランジ１３ｂが設けられ、フランジを用いて前扉３２の自由端側の縁部に取り付けられる。また、シリンダ錠１３の正面は前扉３２の正面に露出して取り付けられる。
【００２４】
前扉３２の内側面には、前扉用爪部材７，８，９を挿入するための開口部が形成されると共に、その開口部の奥に、前扉用爪部材７，８，９が係止するための前扉受け部２３，２４，２５が形成されている。一方、筐体３０の内側には、爪部材５の位置に対応して受け部２１が取り付けられ、爪部材６の位置に対応して受け部２２が取り付けられる。
【００２５】
図６のように、中枠３１、前扉３２が開放した状態で、中枠３１を筐体３０に対し閉鎖すると、爪部材５，６が筐体３０側の受け部２１，２２に当って、下方に傾動しながら前進し、コイルばね１６ｄ、１６ｃの付勢力で元の水平状態に戻り、爪部材５，６が受け部２１，２２に係止されて、図７のように施錠状態となる。また、前扉３２を中枠３１に対し閉鎖すると、前扉用爪部材７，８，９が前扉３２の内側に進入し、その内側の前扉受け部２３，２４，２５に各々当って下方に摺動し、コイルばね１６ａ，１６ｂ，１６ｃの付勢力で元の位置に戻り、各前扉用爪部材７，８，９が前扉受け部２３，２４，２５に係止され、図８のように施錠状態となる。
【００２６】
また、このとき、前扉３２に取り付けられたシリンダ錠１３のカム部材１２が、装置本体１のカム用開口部１９から基枠２の内側に進入し、カム部材１２の第１係合部１２ａと第２係合部１２ｂ間の空間に第２摺動杆４２のカム係合部４９が適正に進入し、係合可能な状態となる。
【００２７】
一方、シリンダ錠１３にキーを差し込みキーを回した状態で、前扉３２を閉鎖すると、図９に示すように、カム部材１２が回動した状態で進入し、その第１係合部１２ａ、第２係合部１２ｂまたは円弧壁部１２ｃが第２摺動杆４２のカム係合部４９に当る。しかしながら、第２摺動杆４２は、図９のように、背面側に移動可能であるから、捻りばね１５の付勢力に抗して背面側に傾動し、つまりカム部材１２の第１係合部１２ａ、第２係合部１２ｂ、または円弧壁部１２ｃに押されて背面側に移動するようにして逃げ、それにより、前扉３２は適正な閉鎖位置まで進入し、閉鎖される。
【００２８】
この状態で、シリンダ錠１３のキーが引き抜き可能な中立位置に戻されると、同様にカム部材１２が図８のような中立位置（施錠位置）に戻る。このとき、その第１係合部１２ａと第２係凸部１２ｂ間の空間に第２摺動杆４２のカム係合部４９が進入し、第２摺動杆４２は捻りばね１５の付勢力により元の位置（取付板側）に戻り、適正な施錠状態となる。
【００２９】
このように、シリンダ錠１３にキーを差し込み、キーを回した状態で、前扉３２を閉じた場合でも、良好に前扉３２を閉鎖することができ、キーを中立位置（施錠位置）に戻せば、適正な施錠状態とすることができる。
【００３０】
一方、中枠３１を解錠する場合は、シリンダ錠１３に差し込んだキーを右に回すと、カム部材１２が同方向に回動し、カム部材１２の第１係合部１２ａが第２摺動杆４２のカム係合部４９に係合してそれを上方に摺動させる。これにより、摺動杆４０が上方に摺動し、第１摺動杆４１の係合凹部４３と爪部材５の係合凸部５ｂが係合して爪部材５が下方に傾動し、同様に第２摺動杆４２の係合凹部５０と爪部材６の係合凸部６ｂが係合して爪部材６が下方に傾動し、これにより受け部２１，２２との係合が外れ、中枠３１が解錠される。
【００３１】
前扉３２を解錠する場合は、シリンダ錠１３に差し込んだキーを左に回すと、カム部材１２が同方向に回動し、カム部材１２の第２係合部１２ｂが第２摺動杆４２のカム係合部４９に係合してそれを下方に摺動させる。これにより、摺動杆４０が下方に摺動し、第１摺動杆４１の係合部４５と前扉用爪部材７の係合凸部７ｂが係合して爪部材７が下方に摺動し、第１摺動杆４１の係合部４６と爪部材８の係合凸部８ｂが係合して爪部材８が下方に摺動し、さらに、第２摺動杆４２の係合部５１と爪部材９の係合凸部９ｂが係合して爪部材９が下方に摺動する。これにより、前扉受け部２３，２４，２５との係合が外れ、前扉３２が解錠される。
【図面の簡単な説明】
【００３２】
【図１】本発明の一実施形態を示す施錠装置の装置本体１の右側面図である。
【図２】装置本体１の背面図である。
【図３】装置本体１の分解右側面図である。
【図４】装置本体１の分解背面図である。
【図５】シリンダ錠とカム部材の状態を示す右側面図（ａ）、底面図（ｂ）、背面図（ｃ）である。
【図６】施錠装置の使用状態を示す開放時の右側面図である。
【図７】中枠を閉鎖した状態の右側面図である。
【図８】前扉及び中枠を閉鎖した状態の右側面図である。
【図９】キーを回した状態で前扉を閉じた状態の拡大部分右側面図である。
【符号の説明】
【００３３】
１  装置本体
２  基枠
２ａ  取付板
３  取付板
４  支持板
４ａ  Ｔ形ガイド孔
５、６  爪部材
７，８，９  前扉用爪部材
１２  カム部材
１２ａ  第１係合部
１２ｂ  第２係合部
１３  シリンダ錠
１５  捻りばね
２１，２２  受け部
２３，２４，２５  前扉受け部
３０  筐体
３１  中枠
３２  前扉
【図１】
2007111268.tif 000003
【図２】
2007111268.tif 000004
【図３】
2007111268.tif 000005
【図４】
2007111268.tif 000006
【図５】
2007111268.tif 000007
【図６】
2007111268.tif 000008
【図７】
2007111268.tif 000009
【図８】
2007111268.tif 000010
【図９】
2007111268.tif 000011